(57)【特許請求の範囲】
【請求項１】
接続対象物を所定位置に挿入可能なコネクタ本体と、一端側が接続対象物の一方の面側に位置するように設けられた複数の端子と、接続対象物の他方の面側に位置するように設けられた第１のシールド部材と、第１のシールド部材を間にして各端子と対向するとともにコネクタ本体に回動自在に設けられた開閉部材とを備え、開閉部材を所定の閉鎖位置まで回動すると、接続対象物の一方の面と各端子とが圧接するとともに接続対象物の他方の面と第１のシールド部材とが圧接し、開閉部材を開放方向の所定位置まで回動すると、各端子及び第１のシールド部材と接続対象物との圧接が解除されるようにしたコネクタにおいて、
前記開閉部材の回動軸に直交する方向への移動を規制する規制部を備え、
前記各端子に、接続対象物の一方の面側に接触する弾性片部と、第１のシールド部材を間にして弾性片部と対向する固定片部とを設けるとともに、
固定片部と第１のシールド部材との間には、固定片部に当接して開閉部材と一体に回動しながら第１のシールド部材を押圧する押圧部を設け、
第１のシールド部材を、開閉部材を閉鎖位置まで回動すると、押圧部に押圧されながら弾性変形して接続対象物の他方の面に圧接するように形成した
ことを特徴とするコネクタ。
【請求項２】
前記各端子を間にして第１のシールド部材と対向するとともにコネクタ本体に着脱可能に形成された第２のシールド部材を備え、
第２のシールド部材には、コネクタ本体に取り付けられたときに第１のシールド部材に接触する接触部を設けた
ことを特徴とする請求項１記載のコネクタ。
【請求項３】
前記第１のシールド部材に外部のグランド部に接続可能なグランド用接続部を設けた
ことを特徴とする請求項１または２記載のコネクタ。
【請求項４】
前記規制部を第１のシールド部材に形成されたフランジで構成した
ことを特徴とする請求項１、２または３記載のコネクタ。
【発明の詳細な説明】
【技術分野】
【０００１】
本発明は、例えばフレキシブルプリント回路（ＦＰＣ）やフレキシブルフラットケーブル（ＦＦＣ）等を接続するためのコネクタに関するものである。
【背景技術】
【０００２】
従来、この種のコネクタとして、接続対象物を所定位置に挿入可能なコネクタ本体と、一端側が接続対象物の一方の面側に位置するように設けられた複数の端子と、接続対象物の他方の面側に位置するように設けられたシールド部材と、シールド部材を間にして各端子と対向するとともにコネクタ本体に回動自在に設けられた開閉部材とを備え、開閉部材を所定の閉鎖位置まで回動すると、接続対象物の一方の面と各端子とが圧接するとともに接続対象物の他方の面とシールド部材とが圧接し、開閉部材を開放方向の所定位置まで回動すると、各端子及びシールド部材と接続対象物との圧接が解除されるようにしたものが知られている（例えば特許文献１参照）。
【０００３】
このコネクタでは、シールド部材に覆われた開閉部材の一端側が各端子に設けられた枢支部に係合しながら上下方向に回動することにより、コネクタ本体の前面開口部に挿入された接続対象物を各端子側に押圧するようになっている。
【特許文献１】特開平９−２８９０６１号公報
【発明の開示】
【発明が解決しようとする課題】
【０００４】
しかしながら、このコネクタでは、開閉部材の一端側のみが各端子の枢支部に係合しているので、例えば開閉部材に対してコネクタ本体の前方への過大な負荷が加わると、開閉部材の一端側が枢支部を乗り越えることにより開閉部材がコネクタ本体から離脱するおそれがあるという問題点があった。
【０００５】
本発明は前記問題点に鑑みてなされたものであり、その目的とするところは、開閉部材がコネクタ本体から離脱するのを確実に防止することの可能なコネクタを提供することにある。
【課題を解決するための手段】
【０００６】
本発明は、前記目的を達成するために、接続対象物を所定位置に挿入可能なコネクタ本体と、一端側が接続対象物の一方の面側に位置するように設けられた複数の端子と、接続対象物の他方の面側に位置するように設けられた第１のシールド部材と、第１のシールド部材を間にして各端子と対向するとともにコネクタ本体に回動自在に設けられた開閉部材とを備え、開閉部材を所定の閉鎖位置まで回動すると、接続対象物の一方の面と各端子とが圧接するとともに接続対象物の他方の面と第１のシールド部材とが圧接し、開閉部材を開放方向の所定位置まで回動すると、各端子及び第１のシールド部材と接続対象物との圧接が解除されるようにしたコネクタにおいて、前記開閉部材の回動軸に直交する方向への移動を規制する規制部を備え、前記各端子に、接続対象物の一方の面側に接触する弾性片部と、第１のシールド部材を間にして弾性片部と対向する固定片部とを設けるとともに、固定片部と第１のシールド部材との間には、固定片部に当接して開閉部材と一体に回動しながら第１のシールド部材を押圧する押圧部を設け、第１のシールド部材を、開閉部材を閉鎖位置まで回動すると、押圧部に押圧されながら弾性変形して接続対象物の他方の面に圧接するように形成している。
【０００７】
これにより、開閉部材の閉鎖位置から開放方向の所定位置までのそれぞれの位置において回動軸に直交する方向への開閉部材の移動が第１のシールド部材の規制部によって規制される。
【発明の効果】
【０００８】
本発明によれば、開閉部材の閉鎖位置から開放方向の所定位置までのそれぞれの位置において回動軸に直交する方向への開閉部材の移動が第１のシールド部材の規制部によって規制することができるので、開閉部材がコネクタ本体から離脱するのを確実に防止することができ、コネクタの破損を防止することができる。
【発明を実施するための最良の形態】
【０００９】
図１乃至図５は本発明の一実施形態を示すもので、図１はコネクタの正面側斜視図、図２はコネクタの背面側斜視図、図３はコネクタの平面図、図４は開閉部材の開放状態を示す側面断面図、図５は開閉部材の閉鎖状態を示す側面断面図である。
【００１０】
このコネクタは、接続対象物としてのフレキシブル回路１の一端側が挿入されるコネクタ本体１０と、コネクタ本体１０内に互いに幅方向に等間隔で配列された複数の端子２０と、コネクタ本体１０に回動自在に設けられた開閉部材３０と、コネクタ本体１０に取り付けられた第１のシールド部材４０と、コネクタ本体１０に着脱可能に形成された第２のシールド部材５０とから構成されており、第２のシールド部材５０をコネクタ本体１０に着脱することによってＥＭＩ（Ｅｌｅｃｔｒｏ  Ｍａｇｎｅｔｉｃ  Ｉｎｔｅｒｆｅｒｅｎｃｅ：電磁波障害）対策用またはインピーダンスマッチング用のコネクタとして用いられる。
【００１１】
フレキシブル回路１は、いわゆるフレキシブルフラットケーブル（ＦＦＣ）またはフレキシブルプリント回路（ＦＰＣ）からなり、その先端側の下方の面には複数の電気接点（図示省略）が互いに幅方向に間隔をおいて設けられ、その上方の面にはグランド部（図示省略）が幅方向に亘って設けられている。
【００１２】
コネクタ本体１０は合成樹脂の成形品からなり、その上面にはフレキシブル回路１を挿入するための開口部１０ａが設けられている。即ち、コネクタ本体１０は、前面部１１、背面部１２、側面部１３及び底面部１４からなり、前面部１１及び背面部１２側には各端子２０を保持する複数の端子孔１０ｂが互いに幅方向に等間隔で設けられている。端子孔１０ｂの前面側と背面側との間には第１のシールド部材４０が圧入される溝１０ｃが設けられ、溝１０ｃはコネクタ本体１０の上方に向かって開口している。また、背面部１２には、後方に向かって延びるように形成された突出部１２ａが突設されている。
【００１３】
各端子２０は導電性の金属板からなり、コネクタ本体１０の各端子孔１０ｂにそれぞれ底面側から圧入することによって保持されている。各端子２０の一端側には互いに前後方向に間隔をおいて上方に二股状に延びる固定片部２１及び弾性片部２２が設けられるとともに、弾性片部２２はフレキシブル回路１の一方の面側（背面側）に位置するように設けられ、固定片部２１は第１のシールド部材４０を間にして弾性片部２２と対向するように設けられている。固定片部２１はコネクタ本体１０の前面部１１に沿って上下方向に延び、その先端側は端子孔１０ｂから上方に突出している。また、固定片部２１の先端側には開閉部材３０を係止する係止部２１ａが後方に向かって突設されている。弾性片部２２はコネクタ本体１０の前後方向に弾性変形可能に形成され、その先端側にはフレキシブル回路１の電気接点に接触する接触部２２ａが前方に向かって突設されている。各端子２０の他端側はコネクタ本体１０の底面部１４に沿って前後方向に延びるとともに、コネクタ本体１０の背面側から外部に露出している。また、各端子２０の他端側には基板１００に接続される接続部２３が設けられ、接続部２３は端子２０の下端から後方に延びるように形成されている。
【００１４】
開閉部材３０は合成樹脂の成形品からなり、コネクタ本体１０の上面側及び前面側を覆うように略Ｌ字状に形成されている。開閉部材３０の前端側には各端子２０の固定片部２１を挿通する複数の端子挿通孔３０ａが互いに幅方向に等間隔で設けられ、各端子挿通孔３０ａの一端側には第１のシールド部材４０を後方へ押圧する押圧部３１が設けられている。押圧部３１は端子２０の固定片部２１と第１のシールド部材４０との間に配置され、固定片部２１の係止部２１ａと前面部１１の上端に係止することにより、上下方向への移動が規制されている。この場合、押圧部３１は、開閉部材３０が開放位置（開閉部材３０の上面が水平方向と平行をなす位置）にあるときの前後方向の寸法が固定片部２１と第１のシールド部材４０との間隔よりも小さく、開閉部材３０が閉鎖位置（開閉部材３０の上面が水平方向と略３０°をなす位置）にあるときの前後方向の寸法が固定片部２１と第１のシールド部材４０との間隔よりも大きくなるように断面が一方向に長く形成されている。
【００１５】
第１のシールド部材４０はコネクタ本体１０の幅方向に延びる導電性の金属板からなり、その下端側をコネクタ本体１０の溝１０ｃに上方から圧入することにより、コネクタ本体１０に前後方向に弾性変形可能に取付けられている。この場合、第１のシールド部材４０はフレキシブル回路１の一方の面側（前面側）に位置するようになっており、第１のシールド部材４０の幅方向中央部には、開閉部材３０の各押圧部３１に押圧されると後方に弾性変形してフレキシブル回路１のグランド部に接触する接触片４１と、開閉部材３０の回動軸に直交する方向、即ち上方への移動を規制する複数の規制部４２とがそれぞれ上下方向に延びるように設けられている。各規制部４２の上端側には前方に屈曲するフランジ４２ａが設けられており、フランジ４２ａは開閉部材３０の上面に係止するようになっている。また、第１のシールド部材４０の幅方向両端側はコネクタ本体１０の側面部１３の前端側を覆うように略Ｌ字状に形成され、その下端側には基板１００に接続されるグランド用接続部４３が設けられている。
【００１６】
第２のシールド部材５０はコネクタ本体１０の幅方向に延びる導電性の金属板を略コ字状に折り曲げ形成したものからなり、コネクタ本体１０の背面部１２に上下方向に着脱可能に形成されている。また、第２のシールド部材５０には、背面部１２の前面の幅方向両端側を覆うように形成された接触部５１と、コネクタ本体１０の後方に向かって開口するように形成された嵌合部５２とが設けられており、第２のシールド部材５０をコネクタ本体１０の背面部１２に取り付けると、接触部５１が第１のシールド部材４０に接触し、コネクタ本体１０の突出部１２ａが嵌合部５２に嵌合するようになっている。
【００１７】
以上のように構成されたコネクタは、図４に示すように開閉部材３０を開放位置にした状態で組み立てられる。また、コネクタを基板１００に実装する際は、開閉部材３０を開放位置にしたまま各端子２０の接続部２３及び第１のシールド部材４０の接続部４２が半田付けにより基板１００に接続される。
【００１８】
ここで、コネクタをＥＭＩ対策用として用いる場合には、コネクタを基板１００に実装した後、フレキシブル回路１の一端側を開口部１０ａ内に挿入し、図５に示すように開閉部材３０を閉鎖位置まで回動すると、押圧部３１が端子２０の固定片部２１に当接しながら開閉部材３０と一体に回動し、押圧部３１によって第１のシールド部材４０の接触片４１が後方に押圧される。これにより、接触片４１が後方に弾性変形してフレキシブル回路１の前方の面（グランド）側に圧接するとともに、フレキシブル回路１の後方の面（信号線）側が可動片部２２に圧接し、フレキシブル回路１が接続される。この場合、開閉部材３０の回動部分の下方に位置するフレキシブル回路１が第１のシールド部材４０によって覆われることから、開閉部材３０の回動部分において外部からの電磁波が遮断される。また、フレキシブル回路１の後方の面側は第２のシールド部材５０によって覆われることから、外部からの電磁波が遮断される。
【００１９】
また、第１のシールド部材４０のフランジ４２ａは、開閉部材３０の開放位置及び閉鎖位置において開閉部材３０の上面を係止しており、開閉部材３０の上方への移動を規制している。この場合、開閉部材３０の押圧部３１の上方への移動も規制されるので、押圧部３１が各端子２０の係止部２１ａを乗り越えることがない。
【００２０】
次に、コネクタをインピーダンスマッチング用として用いる場合には、第２のシールド部材５０の嵌合部５２とコネクタ本体１０の突出部１２ａとの嵌合を解除して第２のシールド部材５０をコネクタ本体１０から取り外した状態において、上記のようにフレキシブル回路１をコネクタ本体１０に挿入して各端子２０に接続させる。この場合、フレキシブル回路１の後方の面側は第２のシールド部材５０によって覆われていないことから、各端子２０と第２のシールド部材５０との間にキャパシタンスが生じない。
【００２１】
このように、本実施形態のコネクタによれば、第１のシールド部材４０に、開閉部材３０の回動軸に直交する方向（上方）への移動を規制する規制部４２を設けたので、閉鎖位置及び開放位置における開閉部材３０の上方への移動を第１のシールド部材４０の規制部４２によって規制することができ、開閉部材３０がコネクタ本体１０の上方に離脱するのを確実に防止することができることから、コネクタの破損を防止することができる。
【００２２】
また、各端子２０に、フレキシブル回路１の後面に接触する弾性片部２２と、第１のシールド部材４０を間にして弾性片部２２と対向する固定片部２１とを設けるとともに、固定片部２１と第１のシールド部材４０との間には固定片部２１に当接しながら開閉部材３０と一体に回動して第１のシールド部材４０を押圧する押圧部３１を設け、第１のシールド部材４０を、開閉部材３０を閉鎖位置まで回動すると、押圧部３１に押圧されながら弾性変形してフレキシブル回路１の前面に圧接するように形成したので、押圧部３１の押圧によるフレキシブル回路１への接触圧を第１のシールド部材４０に付与することができる。従って、長期的な使用においても接触圧が低下することなく、接続信頼性を高めることができる。
【００２３】
さらに、各端子２０を間にして第１のシールド部材４０と対向するとともにコネクタ本体１０に着脱可能に形成された第２のシールド部材５０を備え、第２のシールド部材５０には、コネクタ本体１０に取り付けられたときに第１のシールド部材４０に接触する接触部５１を設けたので、１つのコネクタでインピーダンスマッチング及びＥＭＩ対策を行うことができ、それぞれの機能に対応した構造を有するコネクタを別々に製造する必要がなく、コネクタの製造コストを低減させることができる。
【００２４】
また、第１のシールド部材４０に外部のグランド部に接続可能なグランド用接続部４３を設けたので、第１のシールド部材４０を電磁波遮断用の部材のみならず、グランド接続用の部材としても用いることができ、部品点数を少なくすることができる。また、第１のシールド部材４０が外部のグランド部に固定されることから、開閉部材３０の上方への移動に伴って第１のシールド部材４０がコネクタ本体１０から離脱することを確実に防止することができる。
【００２５】
さらに、規制部４２を第１のシールド部材４０に形成されたフランジ４２ａで構成したので、開閉部材３０の上方への移動を規制するための部材を新たに用いることがなく、部品点数を少なくすることができる。
【図面の簡単な説明】
【００２６】
【図１】本発明の一実施形態によるコネクタの正面側斜視図
【図２】コネクタの背面側斜視図
【図３】コネクタの平面図
【図４】開閉部材の開放状態を示す側面断面図
【図５】開閉部材の閉鎖状態を示す側面断面図
【符号の説明】
【００２７】
１…フレキシブル回路、１０…コネクタ本体、１２ａ…突出部、２０…複数の端子、２１…固定片部、２２…弾性片部、３０…開閉部材、３１…押圧部、４０…第１のシールド部材、４２…規制部、４２ａ…フランジ、４３…グランド用接続部、５０…第２のシールド部材、５１…接触部、５２…嵌合部。
【図１】
0004748674.tif 000002
【図２】
0004748674.tif 000003
【図３】
0004748674.tif 000004
【図４】
0004748674.tif 000005
【図５】
0004748674.tif 000006